(57)【要約】【課題】フィルターに吸着された水道水中の有害成分を外部から透視してフィルターの入替え時期を把握して容易に入れ替えるようにし、水道水の塩素を手軽く除去し、水道水にビタミンＣを供給して皮膚美容に役立てるシャワーフィルター装置を提供する。【解決手段】底の中心部にホース連結ボルト３が設けられ、その中心部に配水孔５が形成されたフィルター本体７の内部に、浄水部９が周囲に形成され、中心部に浄水管１２が形成された円筒状フィルター１４を内装し、上側にシャワー蛇口連結ナット２０が設けられ、その中心部に入水孔２２が形成された上部キャップ２４を前記フィルター本体７の上部に締結してなる。この装置は、公知のシャワー蛇口２８の配水管ボルト３０とホース３２の連結ナット３３との間に締結して使用する。【選択図】図２
0003133053.tif 000002
【実用新案登録請求の範囲】
【請求項１】
外周面透視部１が形成され、底の中心部にホース連結ボルト３が設けられ、その中心部に配水孔５が形成されたフィルター本体７の内部に、浄水部９が周囲に形成され、中心部に浄水管１２が形成された円筒状フィルター１４を内装し、上側にシャワー蛇口連結ナット２０が設けられ、その中心部に入水孔２２が形成された上部キャップ２４を前記フィルター本体７の上部に締結してなり、公知のシャワー蛇口２８の配水管ボルト３０とホース３２の連結ナット３３との間に締結して使用することを特徴とする、シャワーフィルター装置。
【請求項２】
前記円筒状フィルター１４の浄水管１２下側部に、通孔３４が形成されたキャップ３５が付着され、その内部に塩素除去セラミック３６が内蔵され、円筒状フィルター１４の一側にスリット３７が形成され、このスリットの内部に透視板３８が挿着されることを特徴とする、請求項１に記載のシャワーフィルター装置。
【請求項３】
前記フィルター本体７の内部の入水孔２２と配水孔５との間に、通孔３９が形成されたビタミンＣ粒子管４１が装着されることを特徴とする、請求項１に記載のシャワーフィルター装置。
【考案の詳細な説明】
【技術分野】
【０００１】
本考案はシャワーフィルター装置に係り、より詳しくは外周面透視部が形成され、底の中心部にホース連結ボルトが設けられ、その中心部に配水孔が形成されたフィルター本体の内部に、浄水部が周囲に形成され、中心部に浄水管が形成された円筒状フィルターを内装し、上側にシャワー蛇口連結ナットが設けられ、その中心部に入水孔が形成された上部キャップを前記フィルター本体の上部に締結してなるもので、公知のシャワー蛇口の配水管ボルトとホースの連結ナットとの間に締結して使用するシャワーフィルター装置に関するものである。
【背景技術】
【０００２】
一般に、水道水には、水道管の腐食によるさびと、水の汚染による重金属などの異物と、水道水の浄水過程で投与される塩素成分などの有害物質が含有されて、人体に色々の副作用を与えると知られている。
【０００３】
このために、シャワー器などには、多くの形態の浄水装置又は濾過装置が備えられて使用されている。
【０００４】
しかし、大部分は構造が複雑でフィルターの入替えが難しく、フィルターの使用状態を外部から肉眼で識別しにくいため、フィルターの交換時期を逃して適正寿命を超えて使用してしまうことになるため、シャワーフィルター装置としての機能を正常に果たすことができないという弊害があった。
【考案の開示】
【考案が解決しようとする課題】
【０００５】
本考案は、このような従来のシャワーフィルター装置が有する諸般問題点に鑑み、なされたもので、その目的は、シャワーフィルター装置の構造を簡単にして、フィルターを誰でも容易に入れ替えられるようにし、フィルターの使用状態を外部から肉眼で簡単に識別できるようにして、フィルターを適期に交換することにより、シャワーフィルター装置としての機能を正常に果たすようにするシャワーフィルター装置を提供することにある。
【課題を解決するための手段】
【０００６】
このような目的を達成するため、本考案のシャワーフィルター装置は、外周面透視部が形成され、底の中心部にホース連結ボルトが設けられ、その中心部に配水孔が形成されたフィルター本体の内部に、浄水部が周囲に形成され、中心部に浄水管が形成された円筒状フィルターを内装し、上側にシャワー蛇口連結ナットが設けられ、その中心部に入水孔が形成された上部キャップを前記フィルター本体の上部に締結してなるもので、公知のシャワー蛇口の配水管ボルトとホースの連結ナットとの間に締結して使用することを特徴とする。
【考案の効果】
【０００７】
以上のように、本考案のシャワーフィルター装置は、フィルターに吸着された水道水中のさびや重金属などの有害成分がフィルター本体の外部に透視できるようにして、フィルターの入替え時期を容易に把握し、容易に入れ替えることができるだけでなく、水道水に含有された塩素を手軽に除去するとともに、水道水にビタミンＣを供給して、皮膚への刺激なしに皮膚美容に役立つきれいな水を常時円滑に供給することができるという効果がある。
【考案を実施するための最良の形態】
【０００８】
以下、本考案の好ましい実施例を添付図面に基づいて詳細に説明する。
【０００９】
図１は本考案の好ましい一実施例の外形を示す斜視図、図２は本考案の構成状態を示す縦断面図である。同図に示すように、本考案の一実施例によるシャワーフィルター装置は、外周面透視部１が形成され、底の中心部にホース連結ボルト３が設けられ、その中心部に配水孔５が形成されたフィルター本体７の内部に、浄水部９が周囲に形成され、中心部に浄水管１２が形成された円筒状フィルター１４を内装し、上側にシャワー蛇口連結ナット２０が設けられ、その中心部に入水孔２２が形成された上部キャップ２４を前記フィルター本体７の上部に締結してなるもので、公知のシャワー蛇口２８の配水管ボルト３０とホース３２の連結ナット３３との間に締結して使用することになる構造である。
【００１０】
このように構成された本考案のシャワーフィルター装置は、使用の際、まずシャワー蛇口２８の配水管ボルト３０からホース３２の連結ナット３３を解いてホース３２を分離した後、ホースが連結されたシャワー蛇口２８の配水管ボルト３０に、フィルター本体７の上部キャップ２４に形成された入水孔２２の連結ナット２０を締結した後、フィルター本体７の底の中心部に形成されたホース連結ボルト３にホース３２の連結ナット３３を締結することで組立てを完了する。
【００１１】
この状態で、シャワー蛇口２８を開放すると、水が入水孔２２を通じてフィルター本体７内の浄水部９に流入した後、円筒状フィルター１４を経ながら、水道水に含有された種々の有害物質が濾過され、配水孔５とホース３２を通じてシャワー器から排出される。
【００１２】
このように、水道水が浄水される過程で、フィルター１４によって濾過された有害物質はフィルター１４の外周面に吸着され、透視部１を通じて外部から識別することができることになる。したがって、フィルター１４の入替え時期を適期にすぐ把握して入替えることにより、いつもきれいな水を用いることができることになる。また、フィルター１４などを入れ替えようとする場合は、上部キャップ２４をフィルター本体７から分離した後、フィルター本体７から使用済みのフィルター１４を取り出し、新しいフィルター１４を入れ替えた後、上部キャップ２４を締結することだけで、フィルター２４の入替えを簡単に行うことができる。
【００１３】
図３は本考案の他の実施例の外形を示す斜視図、図４は図３の縦断面図である。同図に示すように、本考案の他の実施例によるシャワーフィルター装置は、円筒状フィルター１４の浄水管１２の下側部に、通孔３４が形成されたキャップ３５が付着され、その内部に塩素除去セラミック３６が内蔵され、円筒状フィルター１４の一側にスリット３７が形成され、そのスリットの内部に透視板３８が挿着された構造のものである。
【００１４】
このシャワーフィルター装置は、円筒状フィルター１４を経ながらさびが除去された水道水が塩素除去セラミック３６と反応して、水道水に含有された塩素成分が分解され、このような過程と塩素除去セラミック３６の消耗状態を透視板３８を通じて外部から確認することができるようにしたものである。
【００１５】
図５は本考案のさらに他の実施例の構成状態を示す縦断面図である。同図に示すように、本考案のさらに他の実施例によるシャワーフィルター装置は、フィルター本体７の内部の入水孔２２と配水孔５との間に、通孔３９が形成されたビタミンＣ粒子管４１が装着された構造であって、フィルター本体７に流入した水道水に、ビタミンＣ粒子管４１の通孔３９を通じて排出されたビタミンＣが加わり、ビタミンＣの溶解された水道水が配水孔５とホース３２を通じてシャワー器３５から排出されるようにして、皮膚美容に役立つようにし、ビタミンＣ粒子管４１の内部のビタミンＣの溶解過程と消耗状態をフィルター本体７の透視部１を通じて外部から識別できるようにしたものである。
【００１６】
以上、本考案を特定の実施例に基づいて説明したが、本考案は本考案の技術的思想内で色々に変形実施することが可能であり、前記実施例にだけ本考案の技術的範囲が限定されるものではないことはいうまでもない。
【産業上の利用可能性】
【００１７】
本考案は、フィルターに吸着された水道水中の有害成分を外部から透視してフィルターの入替え時期を把握して容易に入れ替えるようにし、水道水の塩素を手軽く除去し、水道水にビタミンＣを供給して皮膚美容に役立てるシャワーフィルター装置に適用可能である。
【図面の簡単な説明】
【００１８】
【図１】本考案の好ましい一実施例の外形を示す斜視図である。
【図２】本考案の構成状態を示す縦断面図である。
【図３】本考案の他の実施例の外形を示す斜視図である。
【図４】図３の縦断面図である。
【図５】本考案のさらに他の実施例の構成状態を示す縦断面図である。
【符号の説明】
【００１９】
１    透視部
３    ホース連結ボルト
５    排水孔
７    フィルター本体
９    浄水部
１２    浄水管
１４    円筒形フィルター
２０    シャワー蛇口連結ナット
２２    入水孔
２４    上部キャップ
２８    シャワー蛇口２８
３０    排水管ボルト
３２    ホース
３３    連結ナット
３４    通孔
３５    キャップ
３６    塩素除去セラミック
３７    スリット
３８    透視板
３９    通孔
４１    ビタミンＣ粒子管
【図１】
0003133053.tif 000003
【図２】
0003133053.tif 000004
【図３】
0003133053.tif 000005
【図４】
0003133053.tif 000006
【図５】
0003133053.tif 000007